(57)【要約】【課題】沈胴タイプのレンズ装置において、沈胴状態から撮像可能の状態となるまでのスタンバイ待ち時間を短縮する。【解決手段】レンズ装置は、ベース筒１、移動筒２および移動可能なレンズ保持部材１３と、レンズ保持部材の基準位置を検出する位置検出手段２１と、沈胴位置から偏芯低減位置に移動した移動筒の固定筒に対する偏芯を低減する偏芯低減手段１１，１１ａと、沈胴位置からける傾き低減位置に移動した移動筒の光軸方向に対する傾きを低減する傾き低減手段１２とを有する。制御手段３２は、移動筒を沈胴位置から繰り出し位置に向けて移動させる際に、偏芯低減手段による偏芯の低減および傾き低減手段による傾きの低減のうち少なくとも一方が完了する前に、レンズ保持部材の基準位置に向けた移動を開始させる。【選択図】図１
2015152839.tif 000002
【特許請求の範囲】
【請求項１】
ベース筒と、
該ベース筒に対して光軸方向に移動可能な移動筒と、
前記ベース筒および前記移動筒により構成される鏡筒の内部に配置され、レンズを保持するとともに光軸方向に移動可能なレンズ保持部材と、
該レンズ保持部材が光軸方向における基準位置に移動したことを検出する位置検出手段と、
前記移動筒を前記ベース筒に対して格納される沈胴位置と前記ベース筒に対して繰り出す繰り出し位置との間で移動させる制御を行うとともに、前記レンズ保持部材の移動を制御する制御手段と、
前記沈胴位置から光軸方向における偏芯低減位置に移動した前記移動筒の前記固定筒に対する光軸方向に対して直交する方向での偏芯を低減する偏芯低減手段と、
前記沈胴位置から光軸方向における傾き低減位置に移動した前記移動筒の光軸方向に対する傾きを低減する傾き低減手段とを有し、
前記制御手段は、前記移動筒を前記沈胴位置から前記繰り出し位置に向けて移動させる際に、前記偏芯低減手段による前記偏芯の低減および前記傾き低減手段による前記傾きの低減のうち少なくとも一方が完了する前に、前記レンズ保持部材の前記基準位置に向けた移動を開始させることを特徴とするレンズ装置。
【請求項２】
前記制御手段は、前記偏芯低減手段による前記偏芯の低減および前記傾き低減手段による前記傾きの低減がともに完了する前に、前記レンズ保持部材を前記基準位置に到達させることを特徴とする請求項１に記載のレンズ装置。
【請求項３】
前記制御手段は、前記偏芯低減手段による前記偏芯の低減および前記傾き低減手段による前記傾きの低減がともに完了した後に、前記レンズ保持部材を前記基準位置に到達させることを特徴とする請求項１に記載のレンズ装置。
【請求項４】
前記制御手段は、前記偏芯低減手段による前記偏芯の低減および前記傾き低減手段による前記傾きの低減のうち一方が開始した後これが完了する前に、前記レンズ保持部材を前記基準位置に到達させることを特徴とする請求項１に記載のレンズ装置。
【請求項５】
前記制御手段は、前記偏芯低減手段による前記偏芯の低減および前記傾き低減手段による前記傾きの低減のうち一方が完了した後、他方が開始または完了する前に、前記レンズ保持部材を前記基準位置に到達させることを特徴とする請求項１に記載のレンズ装置。
【請求項６】
前記制御手段は、前記偏芯低減手段による前記偏芯の低減および前記傾き低減手段による前記傾きの低減のうち少なくとも一方が完了する前に、前記レンズ保持部材を前記基準位置に到達するまで移動させ、さらに該レンズ保持部材を前記沈胴位置の方向に離れた待機位置に移動させる第１の基準位置検出制御を行い、
前記偏芯低減手段による前記移動筒の前記偏芯の低減および前記傾き低減手段による前記傾きの低減がともに完了した後に、前記レンズ保持部材を前記待機位置から前記基準位置に到達させる第２の基準位置検出制御を行うことを特徴とする請求項１に記載のレンズ装置。
【請求項７】
前記レンズ保持部材は、前記固定筒により支持された第１案内部材と前記移動筒により支持された第２の案内部材とにより光軸方向に案内されることを特徴とする請求項１から６のいずれか一項に記載のレンズ装置。
【請求項８】
請求項１から７のいずれか一項に記載のレンズ装置と、
前記レンズを含む撮像光学系により形成された被写体像を撮像する撮像素子とを有することを特徴とする撮像装置。
【請求項９】
ベース筒と、該ベース筒に対して光軸方向に移動可能な移動筒と、前記ベース筒および前記移動筒により構成される鏡筒の内部に配置され、レンズを保持するとともに光軸方向に移動可能なレンズ保持部材と、該レンズ保持部材が光軸方向における基準位置に移動したことを検出する位置検出手段と、前記ベース筒に対して格納される沈胴位置から光軸方向における偏芯低減位置に移動した前記移動筒の前記固定筒に対する光軸方向に対して直交する方向での偏芯を低減する偏芯低減手段と、前記沈胴位置から光軸方向における傾き低減位置に移動した前記移動筒の光軸方向に対する傾きを低減する傾き低減手段とを有するレンズ装置において、コンピュータに、前記移動筒を前記沈胴位置と前記ベース筒に対して繰り出す繰り出し位置との間で移動させる制御を行わせるとともに、前記レンズ保持部材の移動を制御させるコンピュータプログラムとしての制御プログラムであって、
前記コンピュータに、前記移動筒を前記沈胴位置から前記繰り出し位置に向けて移動させる際に、前記偏芯低減手段による前記偏芯の低減および前記傾き低減手段による前記傾きの低減のうち少なくとも一方が完了する前に、前記レンズ保持部材の前記基準位置に向けた移動を開始させることを特徴とするレンズ装置の制御プログラム。
【発明の詳細な説明】
【技術分野】
【０００１】
本発明は、デジタルカメラやビデオカメラ等の撮像装置に用いられる沈胴タイプのレンズ装置に関する。
【背景技術】
【０００２】
小型撮像装置のレンズ鏡筒（レンズ装置）には、撮像状態では固定筒に対して移動筒が被写体側に繰り出して鏡筒全長が長くなり、非撮像状態では移動筒が固定筒に対して繰り込んで鏡筒全長が短くなる沈胴タイプが用いられることが多い。このような沈胴タイプのレンズ鏡筒では、撮像状態での固定筒と移動筒との相対位置精度を確保して要求される光学性能を満足するために、固定筒と移動筒との相対的な偏芯および傾きを低減する必要がある。
【０００３】
特許文献１には、撮像状態にてレンズを保持するレンズ保持部材（レンズ枠）をばねで付勢することで、複数のレンズ間の相対的な偏芯および傾きを低減するレンズ鏡筒が開示されている。具体的には、レンズがガイド軸に案内されるレンズ枠により保持されており、レンズ枠がガイド軸に沿うようにばねで付勢されることで、該レンズ枠の光軸に直交する面内での偏芯と光軸に対する傾きとが低減される。
【０００４】
また、動画撮像が可能な撮像装置では、動画撮像中にレンズを静かに移動させて雑音が録音されることを防止したり、レンズを滑らかに移動させて映像が揺れることを防止したりする必要がある。このため、ガイド軸にレンズ枠を案内させてリードスクリュー等を用いてレンズ枠を移動させるレンズ駆動機構が採用される場合が多い。このような構成では、レンズ枠の位置制御を行うためにレンズ枠の位置を検出する必要があり、レンズ枠の位置検出の基準となる基準位置を検出するために、レンズ枠の移動範囲の１箇所にフォトインタラプタ等の位置検出器を設けることが一般的である。具体的には、レンズ鏡筒の電源投入後であって撮像開始前に、レンズ枠を位置検出器付近にて移動させることによって、レンズ枠の基準位置の検出動作を行う。
【先行技術文献】
【特許文献】
【０００５】
【特許文献１】特開２０１０−２６６５８２号公報
【発明の概要】
【発明が解決しようとする課題】
【０００６】
しかしながら、沈胴タイプのレンズ鏡筒を用いた撮像装置であって、かつレンズ枠または移動筒の偏芯および傾き調整動作とレンズ枠の基準位置の検出動作とを行う撮像装置では、以下のような問題がある。このような撮像装置では、電源を投入した後、沈胴状態にあったレンズ鏡筒が繰り出し、さらに偏芯および傾き調整動作と基準位置の検出動作とがそれぞれ完了してはじめて撮像可能なスタンバイ状態（撮像スタンバイ状態）となる。このため、電源を投入してから撮像スタンバイ状態となるまでの時間であるスタンバイ待ち時間が長くなるという問題がある。
【０００７】
本発明は、沈胴タイプであって、移動筒の偏芯および傾き調整動作とレンズ保持部材の基準位置の検出動作とを行う場合に、スタンバイ待ち時間を短縮することができるようにしたレンズ装置およびこれを用いた撮像装置を提供する。
【課題を解決するための手段】
【０００８】
本発明の一側面としてのレンズ装置は、ベース筒と、該ベース筒に対して光軸方向に移動可能な移動筒と、ベース筒および移動筒により構成される鏡筒の内部に配置され、レンズを保持するとともに光軸方向に移動可能なレンズ保持部材と、レンズ保持部材が光軸方向における基準位置に移動したことを検出する位置検出手段と、移動筒をベース筒に対して格納される沈胴位置とベース筒に対して繰り出す繰り出し位置との間で移動させる制御を行うとともに、レンズ保持部材の光軸方向への移動を制御する制御手段と、沈胴位置から光軸方向における偏芯低減位置に移動した移動筒の固定筒に対する光軸方向に対して直交する方向での偏芯を低減する偏芯低減手段と、沈胴位置から光軸方向における傾き低減位置に移動した移動筒の光軸方向に対する傾きを低減する傾き低減手段とを有する。そして、制御手段は、移動筒を沈胴位置から繰り出し位置に向けて移動させる際に、偏芯低減手段による偏芯の低減および傾き低減手段による傾きの低減のうち少なくとも一方が完了する前に、レンズ保持部材の基準位置に向けた移動を開始させることを特徴とする。
【０００９】
なお、上記レンズ装置と、上記レンズを含む撮像光学系により形成された被写体像を撮像する撮像素子とを有する撮像装置も、本発明の他の一側面を構成する。
【００１０】
また、本発明の他の一側面としての制御プログラムは、ベース筒と、該ベース筒に対して光軸方向に移動可能な移動筒と、ベース筒および移動筒により構成される鏡筒の内部に配置され、レンズを保持するとともに光軸方向に移動可能なレンズ保持部材と、該レンズ保持部材が光軸方向における基準位置に移動したことを検出する位置検出手段と、ベース筒に対して格納される沈胴位置から光軸方向における偏芯低減位置に移動した移動筒の固定筒に対する光軸方向に対して直交する方向での偏芯を低減する偏芯低減手段と、沈胴位置から光軸方向における傾き低減位置に移動した移動筒の光軸方向に対する傾きを低減する傾き低減手段とを有するレンズ装置のコンピュータに、移動筒を沈胴位置とベース筒に対して繰り出す繰り出し位置との間で移動させる制御を行わせるとともに、レンズ保持部材の光軸方向への移動を制御させるコンピュータプログラムである。そして、該制御プログラムは、コンピュータに、移動筒を沈胴位置から繰り出し位置に向けて移動させる際に、偏芯低減手段による偏芯の低減および傾き低減手段による傾きの低減のうち少なくとも一方が完了する前に、レンズ保持部材の基準位置に向けた移動を開始させることを特徴とする。
【発明の効果】
【００１１】
本発明によれば、沈胴タイプであって、移動筒の偏芯および傾き調整動作とレンズ保持部材の基準位置の検出動作とを行うレンズ装置でありながらも、スタンバイ待ち時間を短縮することができる。したがって、このレンズ装置を用いた撮像装置において、電源投入後に素早く撮像を開始することかできる。
【図面の簡単な説明】
【００１２】
【図１】本発明の実施例１であるレンズ鏡筒の構成を示す図。
【図２】実施例１のレンズ鏡筒の変形例の構成を示す図。
【図３】実施例１のレンズ鏡筒の偏芯／傾き調整動作を説明する図。
【図４】実施例１のレンズ鏡筒の繰り出し／沈胴動作を説明する図。
【図５】実施例１のレンズ鏡筒の制御を示すフローチャート。
【図６】本発明の実施例２であるレンズ鏡筒の繰り出し／沈胴動作を説明する図。
【図７】実施例２のレンズ鏡筒の制御を示すフローチャート。
【図８】本発明の実施例３であるレンズ鏡筒の繰り出し／沈胴動作を説明する図。
【図９】実施例３のレンズ鏡筒の制御を示すフローチャート。
【図１０】本発明の実施例４であるレンズ鏡筒の繰り出し／沈胴動作を説明する図。
【図１１】実施例４のレンズ鏡筒の制御を示すフローチャート。
【図１２】本発明の実施例５であるレンズ鏡筒の繰り出し／沈胴動作を説明する図。
【図１３】実施例５のレンズ鏡筒の制御を示すフローチャート。
【図１４】実施例１〜５のレンズ鏡筒における動作タイミングをまとめて示す図。
【発明を実施するための形態】
【００１３】
以下、本発明の実施例について図面を参照しながら説明する。
【実施例１】
【００１４】
図１（ａ）〜（ｃ）を用いて、本発明の実施例１であるレンズ鏡筒（レンズ装置）の構成について説明する。図１（ａ）はレンズ鏡筒の繰り出し状態（撮像可能状態：以下、撮像スタンバイ状態という）での構成を示し、図１（ｃ）は該レンズ鏡筒の沈胴状態（非撮像可能状態）での構成を示している。また、図１（ｂ）には、図１（ａ）中の矢印Ａ方向から見た構成を示している。
【００１５】
１はベース筒としての固定筒であり、２は固定筒１に対して光軸方向（図中の＋Ｘ／−Ｘ方向）に移動可能な移動筒である。固定筒１と移動筒２とによりレンズ鏡筒の鏡筒部が構成される。固定筒１は、レンズ鏡（鏡筒部）のベース部材として、デジタルカメラやビデオカメラ等の動画撮像が可能な撮像装置の本体（撮像装置本体）３０に固定される。撮像装置本体３０の内部には、ＣＣＤセンサやＣＭＯＳセンサ等により構成され、レンズ鏡筒（鏡筒部）の内部に収容された撮像光学系により形成された被写体像を撮像（光電変換）するための撮像素子３１が固定されている。
【００１６】
移動筒２は、図１（ｃ）に示すように固定筒１に対して格納される沈胴位置と、図１（ａ）に示すように固定筒１に対して繰り出す繰り出し位置との間で移動可能である。図１（ａ）に示す＋Ｘ方向は移動筒２の固定筒１に対する繰り出し方向であり、−Ｘ方向は移動筒２の固定筒１に対する沈胴方向である。移動筒２は、モータおよび該モータにより移動筒２の外周（固定筒１の内周）で回転駆動されるカム筒等により構成される移動筒駆動機構によって光軸方向に移動される。また、以下の説明において、光軸方向に対して直交する方向および面をそれぞれ、偏芯方向および偏芯面ともいう。
【００１７】
３は固定筒１により支持された第１の案内部材としての第１のガイド軸であり、４は移動筒２により支持された第２の案内部材としての第２のガイド軸である。５は移動筒２により支持された第３の案内部材としての第３のガイド軸である。本実施例において第３のガイド軸５は移動筒２により支持されているが、固定筒１により支持されていてもよい。
【００１８】
１１は固定筒１に設けられた内周円筒面であり、第１のガイド軸３に対する第２のガイド軸４の偏芯面内での相対位置を調整ために設けられている。内周円筒面１１に移動筒２に設けられた外周円筒面２ａが嵌合することによって移動筒２の偏芯面内での位置が調整され（つまりは移動筒２の固定筒１に対する偏芯が低減され）、第１のガイド軸３に対する第２のガイド軸４の偏芯面内での相対位置が精度良く決まる。
【００１９】
また、固定筒１の内周円筒面１１よりも−Ｘ方向の直前位置にはテーパー部１１ａが設けられており、該テーパー部１１ａは、移動筒２の外周円筒面２ａを内周円筒面１１に嵌合する位置にスムーズに案内する。内周円筒面１１およびテーパー部１１ａにより偏芯低減手段が構成され、移動筒２が光軸方向における固定筒１に対して該偏芯低減手段から偏芯低減作用を受ける偏芯低減位置に移動することで、移動筒２の固定筒１に対する偏芯が低減される。
【００２０】
ただし、偏芯低減手段としては他の構成のものを用いてもよい。例えば図２に示すように、移動筒４２に設けられた光軸方向に延びる２つの突起４２ａ，４２ｂを固定筒４１に設けられた丸孔４１ａおよび長孔４１ｂに挿入する構成のものを用いてもよい。
【００２１】
１２は固定筒１に設けられた円環面であり、移動筒２の光軸方向に対する傾きを調整（低減）することで、固定筒１により支持された第１のガイド軸３に対する移動筒２により支持された第２のガイド軸４の傾きを調整するために設けられている。この円環面１２に移動筒２の前端に設けられた円環面２ｂが当接することによって上記傾きが調整（低減）され、第１のガイド軸３に対する第２のガイド軸４の平行度が精度良く決まる。円環面１２により傾き低減手段が構成され、移動筒２が光軸方向における固定筒１に対して該傾き低減手段から傾き低減作用を受ける傾き低減位置に移動することで、移動筒２の光軸方向に対する傾きが低減される。
【００２２】
１３は光軸方向に移動可能なレンズ保持部材としてのレンズ枠であり、第１、第２および第３のガイド軸３，４，５によってそれぞれ光軸方向に案内される被案内部としての被ガイド部１３ａ，１３ｂ，１３ｃを有する。被ガイド部１３ａ，１３ｂには、第１および第２のガイド軸３，４が係合する丸孔が形成されており、被ガイド部１３ｃには第３のガイド軸５が係合する長孔が形成されている。１４はレンズ枠１３によって保持されたレンズであり、他の不図示のレンズや絞り等とともに撮像光学系を構成する。レンズ枠１３は、ズーミングまたはフォーカシングのために光軸方向に移動する。
【００２３】
２１はレンズ枠１３の光軸方向における移動可能範囲のうち少なくとも１つの位置を検出可能な位置検出手段としてのフォトインタラプタである。本実施例では、レンズ枠１３の光軸方向での位置制御上の基準位置である初期位置において、レンズ枠１３に設けられた被検出部１３ｄがフォトインタラプタ２１の内側の発光部と受光部との間に入り、発光部から受光部に向かう光を遮るように設定されている。発光部からの光が遮られることで、それまで光を受光していた受光部からの出力信号がＨｉｇｈからＬｏｗに切り替わる。このため、レンズ枠１３を被検出部１３ｄがフォトインタラプタ２１の外側から内側に入り込むように移動させることで、レンズ枠１３が初期位置に移動（到達）したことを検出でき、これに応じてレンズ枠１３の位置制御上の位置情報をリセットすることができる。このようにレンズ枠１３の初期位置検出に応じて位置制御上での位置情報のリセットを行う動作を、その前後のレンズ枠１３の移動を含めて、以下の説明ではレンズ枠１３のリセット動作という。
【００２４】
なお、本実施例では、レンズ枠１３の位置を非接触で検出可能なフォトインタラプタを位置検出手段として用いているが、接触式の磁気センサやメカニカルスイッチ等の他の位置検出手段を用いてもよい。また、本実施例ではフォトインタラプタ２１をレンズ枠１３の移動可能範囲のほぼ中央に配置したが、レンズ枠１３の移動可能範囲内であればどの位置にフォトインタラプタ２１を配置してもよい。
【００２５】
このように、本実施例のレンズ鏡筒では、動画撮像中にレンズ枠１３を静かで滑らかに光軸方向に移動させるために、第１、第２および第３のガイド軸５によってレンズ枠１３を案内する構成を採用している。レンズ枠１３は、リードスクリューとラックまたはリニアアクチュエータとしてのボイスコイルモータ等により構成される不図示のレンズ駆動機構によって光軸方向に移動される。
【００２６】
また、本実施例では、固定筒１と移動筒２のそれぞれによって第１のガイド軸３と第２のガイド軸４が支持されているため、図１（ｃ）に示す沈胴状態でのレンズ鏡筒の小型化を図ることができる。
【００２７】
次に、本実施例のレンズ鏡筒における移動筒２の固定筒１に対する偏芯調整動作と傾き調整動作について図３を用いて詳しく説明する。図３（ａ）は、沈胴状態において移動筒２が固定筒１に対して偏芯しているとともに傾いている状態を示している。図３（ｂ）は、移動筒２が＋Ｘ方向（繰り出し方向）に移動して、移動筒２の外周円筒面２ａが固定筒１のテーパー部１１ａに到達して偏芯調整動作が開始される状態を示している。
【００２８】
図３（ｃ）は、移動筒２が図３（ｂ）の状態からさらに＋Ｘ方向に移動して、移動筒２の外周円筒面２ａが固定筒１の内周円筒面１１の嵌合した状態、すなわち偏芯低減作用を受けた状態を示している。以下の説明において、この状態を偏芯調整完了状態という。偏心調整完了状態では、移動筒２の固定筒１に対する偏芯は調整（低減）されているが、固定筒１に対する移動筒２の傾きは残っている。
【００２９】
図３（ｄ）は、移動筒２が図３（ｃ）の状態からさらに＋Ｘ方向に移動して、移動筒２の円環面２ｂが固定筒１の円環面１２に当接した状態、すなわち傾き低減作用を受けた状態を示している。この状態では、移動筒２の固定筒１に対する偏芯に加えて傾きも調整（低減）されている。このように、移動筒２は、図３（ｃ）の位置まで＋Ｘ方向に移動することで固定筒１に対する偏芯が調整された後、さらに＋Ｘ方向に移動して図３（ｄ）の位置に到達することで固定筒１に対する傾きも調整される。以下の説明において、図３（ｄ）の状態を偏芯／傾き調整完了状態という。
【００３０】
次に、本実施例のレンズ鏡筒における沈胴状態から撮像スタンバイ状態に遷移する動作について、図４を用いて説明する。なお、図４では、図３に示した移動筒２の固定筒１に対する偏芯と傾きは省略している。
【００３１】
図４（ａ）は、図３（ａ）に対応する沈胴状態を示しており、移動筒２のほぼ全体が固定筒１内に収容されている。図４（ｂ）は、沈胴状態から移動筒２が＋Ｘ方向への移動を開始した直後の状態を示している。図４（ｃ）は、レンズ枠１３が＋Ｘ方向への移動を開始し、レンズ枠１３の被検出部１３ｄがフォトインタラプタ２１（つまりは初期位置）に向かっている状態を示している。
【００３２】
図４（ｄ）は、レンズ枠１３の被検出部１３ｄがフォトインタラプタ２１内に入る（つまりは、レンズ枠１３が初期位置に到達する）ことでレンズ枠１３の初期位置検出が行われたリセット動作完了状態を示している。
【００３３】
図４（ｅ）は、移動筒２が固定筒１に対して移動筒２の偏芯および傾き調整動作が完了する位置まで移動した偏芯／傾き調整完了状態を示している。この状態が撮像スタンバイ状態である。移動筒２がこの位置に到達したことは、不図示の検出手段によって検出可能である。また、移動筒２およびレンズ枠１３はそれぞれ、図４（ｄ）の状態に到達した後に図４（ｅ）の状態に至るような移動速度で制御されている。
【００３４】
このように、本実施例のレンズ鏡筒では、沈胴状態から、移動筒２の固定筒１に対する偏芯および傾き調整動作とレンズ枠１３のリセット動作の２つの動作が行われ、これらが完了することで撮像スタンバイ状態への遷移が完了する。また、レンズ枠１３のリセット動作は、移動筒２の偏芯および傾き調整動作が完了する前に完了する。
【００３５】
図５のフローチャートには、この沈胴状態から撮像スタンバイ状態に遷移する間のレンズ鏡筒の動作の流れを示している。なお、図１に示すように、撮像装置本体３０内には、移動筒駆動機構とレンズ駆動機構の動作を制御する制御手段（コンピュータ）としてのコントローラ３２が搭載されている。コントローラ３２は、コンピュータプログラムとしての制御プログラムに従って移動筒駆動機構とレンズ駆動機構の動作を制御する。
【００３６】
ステップＳ１において撮像装置の電源が投入（ＯＮ）されると、コントローラ３２は、ステップＳ２において移動筒駆動機構を駆動し、図４（ｂ）に示すように移動筒２の沈胴状態から繰り出し方向への移動を開始させる。また、コントローラ３２は、ステップＳ３において、レンズ駆動機構を駆動し、図４（ｃ）に示すように、レンズ枠１３の＋Ｘ方向（以下、リセット方向という）への移動によるリセット動作を開始させる。
【００３７】
次に、ステップＳ４では、コントローラ３２は、レンズ枠１３の被検出部１３ａがフォトインタラプタ２１内に入ったか否か（フォトインタラプタ２１の受光部からの出力信号がＨｉｇｈからＬｏｗに切り替わったか否か）を判定する。図４（ｃ）に示すように、まだ被検出部１３ａがフォトインタラプタ２１内に入っていないときは、コントローラ３２は、レンズ駆動機構によるレンズ枠１３のリセット方向への移動を継続する。一方、図４（ｄ）に示すように被検出部１３ａがフォトインタラプタ２１内に入ったときは、コントローラ３２は、ステップＳ５において、その内部におけるレンズ枠１３の位置情報をリセットする。そして、ステップＳ６において、コントローラ３２は、レンズ駆動機構の駆動を停止し、図４（ｅ）に示すように、レンズ枠１３のリセット方向への移動（つまりはリセット動作）を終了させる。
【００３８】
次に、ステップＳ７において、コントローラ３２は、移動筒２の偏芯および傾き調整動作が完了したか否かを判定する。偏芯および傾き調整動作が完了していない場合は移動筒駆動機構による移動筒２の繰り出し方向への移動を継続する。一方、偏芯および傾き調整動作が完了した場合は、ステップＳ８において、コントローラ３２は、移動筒駆動機構の駆動を停止し、図４（ｅ）に示すように、移動筒２の繰り出し方向への移動を終了させる。こうして、撮像スタンバイ状態への遷移が完了する。
【００３９】
以上説明したように、本実施例では、図４（ｅ）に示すように移動筒２の偏芯および傾き調整動作が完了する前に、図４（ｃ）に示すようにレンズ枠１３のリセット動作を開始する。そして、移動筒２の偏芯および傾き調整動作が完了する前に、図４（ｄ）に示すようにレンズ枠１３のリセット動作による初期位置検出が行われる。このため、偏芯および傾き調整動作が完了した後にレンズ枠１３のリセット動作を開始する場合に比べて、沈胴状態から撮像スタンバイ状態までに要するスタンバイ待ち時間を短縮することができる。この結果、撮像装置の電源を投入してからより短時間で撮像を開始することができる。
【００４０】
なお、移動筒２の偏芯および傾き調整動作の完了前にレンズ枠１３のリセット動作が完了するので、偏芯および傾き調整動作が終了する前の移動筒２の偏芯量や傾き量がレンズ枠１３の初期位置検出の精度に影響しないようにできるだけ小さいことが望ましい。
【実施例２】
【００４１】
本発明の実施例２であるレンズ鏡筒における沈胴状態から撮像スタンバイ状態に遷移する動作について、図６を用いて説明する。なお、本実施例のレンズ鏡筒の構成は、実施例１のレンズ鏡筒と同じであり、共通する構成要素には実施例１と同符号を付して説明に代える。また、図６では、移動筒２の固定筒１に対する偏芯と傾きは省略している。
【００４２】
図６（ａ）は、沈胴状態を示しており、移動筒２のほぼ全体が固定筒１内に収容されている。図６（ｂ）は、沈胴状態から移動筒２が＋Ｘ方向への移動を開始した直後の状態を示している。図６（ｃ）は、レンズ枠１３が＋Ｘ方向への移動を開始し、レンズ枠１３の被検出部１３ｄがフォトインタラプタ２１へ向かっている状態を示している。
【００４３】
図６（ｄ）は、移動筒２が固定筒１に対して移動筒２の偏芯および傾き調整動作が完了する位置まで移動した偏芯／傾き調整完了状態を示している。移動筒２がこの状態に到達したことは、不図示の検出手段によって検出可能である。
【００４４】
図６（ｅ）は、レンズ枠１３の被検出部１３ｄがフォトインタラプタ２１内に入ることでレンズ枠１３の初期位置検出が行われたリセット動作完了状態を示している。この状態が、撮像スタンバイ状態である。移動筒２およびレンズ枠１３はそれぞれ、図６（ｄ）の状態に到達した後に図６（ｅ）の状態に至るような移動速度で制御される。
【００４５】
このように、本実施例のレンズ鏡筒でも、実施例１と同様に、沈胴状態から、移動筒２の固定筒１に対する偏芯および傾き調整動作とレンズ枠１３のリセット動作の２つの動作が行われ、これらが完了することで撮像スタンバイ状態への遷移が完了する。また、レンズ枠１３のリセット動作も、移動筒２の偏芯および傾き調整動作が完了する前に開始される。ただし、実施例１とは異なり、レンズ枠１３のリセット動作は、移動筒２の偏芯および傾き調整動作の完了後に完了する。
【００４６】
図７のフローチャートには、この沈胴状態から撮像スタンバイ状態に遷移する間のレンズ鏡筒の動作の流れを示している。なお、本実施例でも、コントローラ３２が、移動筒駆動機構とレンズ駆動機構の動作を、コンピュータプログラムとしての制御プログラムに従って制御する。
【００４７】
ステップＳ１１において撮像装置の電源が投入（ＯＮ）されると、コントローラ３２は、ステップＳ１２において移動筒駆動機構を駆動し、図６（ｂ）に示すように移動筒２の沈胴状態から繰り出し方向への移動を開始させる。また、コントローラ３２は、ステップＳ１３において、レンズ駆動機構を駆動し、図６（ｃ）に示すように、レンズ枠１３のリセット方向への移動によるリセット動作を開始させる。
【００４８】
次に、ステップＳ１４では、コントローラ３２は、移動筒２の偏芯および傾き調整動作が完了したか否かを判定する。偏芯および傾き調整動作が完了していない場合は移動筒駆動機構による移動筒２の繰り出し方向への移動を継続する。一方、偏芯および傾き調整動作が完了した場合は、ステップＳ１５において、コントローラ３２は、移動筒駆動機構の駆動を停止し、図６（ｄ）に示すように、移動筒２の繰り出し方向への移動を終了させる。
【００４９】
さらに、ステップＳ１６において、コントローラ３２は、レンズ枠１３の被検出部１３ａがフォトインタラプタ２１内に入ったか否かを判定する。図６（ｄ）に示すように、まだ被検出部１３ａがフォトインタラプタ２１内に入っていないときは、コントローラ３２は、レンズ駆動機構によるレンズ枠１３のリセット方向への移動を継続する。一方、図６（ｅ）に示すように被検出部１３ａがフォトインタラプタ２１内に入ったときは、コントローラ３２は、ステップＳ１７において、その内部におけるレンズ枠１３の位置情報をリセットする。そして、ステップＳ１８において、コントローラ３２は、レンズ駆動機構の駆動を停止し、レンズ枠１３のリセット動作を終了させる。こうして、撮像スタンバイ状態への遷移が完了する。
【００５０】
以上説明したように、本実施例でも、図６（ｅ）に示すように移動筒２の偏芯および傾き調整動作が完了する前に、図６（ｃ）に示すようにレンズ枠１３のリセット動作を開始する。一方、本実施例では、移動筒２の偏芯および傾き調整動作が完了した後に、図６（ｄ）に示すようにレンズ枠１３のリセット動作における初期位置検出が行われる。この場合でも、偏芯および傾き調整動作が完了した後にレンズ枠１３のリセット動作を開始する場合に比べて、沈胴状態から撮像スタンバイ状態までに要するスタンバイ待ち時間を短縮することができる。この結果、撮像装置の電源を投入してからより短時間で撮像を開始することができる。
【００５１】
なお、本実施例では移動筒２の偏芯および傾き調整動作が完了した終了した後にレンズ枠１３の初期位置検出が行われる。このため、偏芯および傾き調整動作が終了する前の移動筒２の偏芯量や傾き量が多少大きくても、レンズ枠１３の初期位置検出を高い精度で行うことができる。
【実施例３】
【００５２】
本発明の実施例３であるレンズ鏡筒における沈胴状態から撮像スタンバイ状態に遷移する動作について、図８を用いて説明する。なお、本実施例のレンズ鏡筒の構成は、実施例１のレンズ鏡筒と同じであり、共通する構成要素には実施例１と同符号を付して説明に代える。また、図８では、移動筒２の固定筒１に対する偏芯と傾きは省略している。
【００５３】
図８（ａ）は、沈胴状態を示しており、移動筒２のほぼ全体が固定筒１内に収容されている。図８（ｂ）は、沈胴状態から移動筒２が＋Ｘ方向への移動を開始した直後の状態を示している。図８（ｃ）は、移動筒２の外周円筒面２ａが固定筒１のテーパー部１１ａに到達し、内周円筒面１１による移動筒２の偏芯調整動作が開始される状態を示している。移動筒２がこの状態に到達したことは、不図示の検出手段によって検出可能である。
【００５４】
図８（ｄ）は、レンズ枠１３が図８（ｃ）の状態から＋Ｘ方向への移動を開始し、レンズ枠１３の被検出部１３ｄがフォトインタラプタ２１内に入り込んだ状態を示している。なお、レンズ枠１３の移動開始のタイミングは特に限定されない。
【００５５】
図８（ｅ）は、移動筒２が固定筒１に対して移動筒２の偏芯および傾き調整動作が完了する位置まで移動した偏芯／傾き調整完了状態を示している。この状態が撮像スタンバイ状態である。移動筒２がこの状態に到達したことは、不図示の検出手段によって検出可能である。移動筒２およびレンズ枠１３はそれぞれ、図８（ｄ）の状態に到達した後に図８（ｅ）の状態に至るような移動速度で制御される。
【００５６】
このように、本実施例のレンズ鏡筒でも、実施例１と同様に、沈胴状態から、移動筒２の固定筒１に対する偏芯および傾き調整動作とレンズ枠１３のリセット動作の２つの動作が行われ、これらが完了することで撮像スタンバイ状態への遷移が完了する。また、レンズ枠１３のリセット動作も、移動筒２の偏芯および傾き調整動作が完了する前に開始される。ただし、実施例１とは異なり、レンズ枠１３のリセット動作は、移動筒２の偏芯調整動作の開始後に開始される。
【００５７】
図９のフローチャートには、この沈胴状態から撮像スタンバイ状態に遷移する間のレンズ鏡筒の動作の流れを示している。なお、本実施例でも、コントローラ３２が、移動筒駆動機構とレンズ駆動機構の動作を、コンピュータプログラムとしての制御プログラムに従って制御する。
【００５８】
ステップＳ２１において撮像装置の電源が投入（ＯＮ）されると、コントローラ３２は、ステップＳ２２において移動筒駆動機構を駆動し、図８（ｂ）に示すように移動筒２の沈胴状態から繰り出し方向への移動を開始させる。また、コントローラ３２は、ステップＳ２３において、レンズ駆動機構を駆動し、図８（ｃ）に示すように、レンズ枠１３のリセット方向への移動によるリセット動作を開始させる。
【００５９】
次に、ステップＳ２４では、コントローラ３２は、移動筒２の偏芯調整動作が開始されたか否かを判定する。偏芯調整動作が開始されていない場合は移動筒駆動機構による移動筒２の繰り出し方向への移動を継続する。一方、偏芯調整動作が開始されている場合は、ステップＳ２５において、コントローラ３２は、レンズ枠１３の被検出部１３ａがフォトインタラプタ２１内に入ったか否かを判定する。図８（ｃ）に示すように、まだ被検出部１３ａがフォトインタラプタ２１内に入っていないときは、コントローラ３２は、レンズ駆動機構によるレンズ枠１３のリセット方向への移動を継続する。一方、図８（ｄ）に示すように被検出部１３ａがフォトインタラプタ２１内に入ったときは、コントローラ３２は、ステップＳ２６において、その内部におけるレンズ枠１３の位置情報をリセットする。そして、ステップＳ２７において、コントローラ３２は、レンズ駆動機構の駆動を停止し、レンズ枠１３のリセット動作を終了させる。
次に、ステップＳ２８では、コントローラ３２は、移動筒２の偏芯および傾き調整動作が完了したか否かを判定する。偏芯および傾き調整動作が完了していない場合は移動筒駆動機構による移動筒２の繰り出し方向への移動を継続する。一方、偏芯および傾き調整動作が完了した場合は、ステップＳ２９において、コントローラ３２は、移動筒駆動機構の駆動を停止し、図８（ｅ）に示すように、移動筒２の繰り出し方向への移動を終了させる。こうして、撮像スタンバイ状態への遷移が完了する。
【００６０】
以上説明したように、本実施例でも、図８（ｅ）に示すように移動筒２の偏芯および傾き調整動作が完了する前に、図８（ｃ）に示すようにレンズ枠１３のリセット動作を開始する。一方、本実施例では、移動筒２の偏芯調整動作が開始された後であって偏芯調整動作および傾き調整動作が完了する前に、図８（ｄ）に示すようにレンズ枠１３のリセット動作における初期位置検出が行われる。この場合でも、偏芯および傾き調整動作が完了した後にレンズ枠１３のリセット動作を開始する場合に比べて、沈胴状態から撮像スタンバイ状態までに要するスタンバイ待ち時間を短縮することができる。この結果、撮像装置の電源を投入してからより短時間で撮像を開始することができる。
【００６１】
なお、本実施例でも、実施例１と同様に、移動筒２の偏芯および傾き調整動作の完了前にレンズ枠１３のリセット動作が完了する。このため、偏芯および傾き調整動作が終了する前の移動筒２の偏芯量や傾き量がレンズ枠１３の初期位置検出の精度に影響しないようにできるだけ小さいことが望ましい。
【実施例４】
【００６２】
本発明の実施例４であるレンズ鏡筒における沈胴状態から撮像スタンバイ状態に遷移する動作について、図１０を用いて説明する。なお、本実施例のレンズ鏡筒の構成は、実施例１のレンズ鏡筒と同じであり、共通する構成要素には実施例１と同符号を付して説明に代える。また、図１０では、移動筒２の固定筒１に対する偏芯と傾きは省略している。
【００６３】
図１０（ａ）は、沈胴状態を示しており、移動筒２のほぼ全体が固定筒１内に収容されている。図１０（ｂ）は、沈胴状態から移動筒２が＋Ｘ方向への移動を開始し、さらに移動筒２の外周円筒面２ａが固定筒１のテーパー部１１ａに到達し、内周円筒面１１による移動筒２の偏芯調整動作が開始される状態を示している。
【００６４】
図１０（ｃ）は、移動筒２の偏芯調整動作が完了した状態を示している。この状態にて、図に示すようにレンズ枠１３が＋Ｘ方向への移動を既に開始していてもよいし、この後にレンズ枠１３の移動を開始してもよく、レンズ枠１３の移動開始のタイミングは特に限定されない。
【００６５】
図１０（ｄ）は、レンズ枠１３の被検出部１３ｄがフォトインタラプタ２１内に入ることでレンズ枠１３の初期位置検出が行われたリセット動作完了状態を示している。この状態では、まだ移動筒２と固定筒１の円環面２ａ，１２は当接しておらず、移動筒２の傾き調整動作は完了していない。移動筒２およびレンズ枠１３はそれぞれ、図１０（ｃ）の状態に到達した後に図１０（ｄ）の状態に至るような移動速度で制御される。
【００６６】
図１０（ｅ）は、移動筒２が固定筒１に対して移動筒２の偏芯および傾き調整動作が完了する位置まで移動した偏芯／傾き調整完了状態を示している。この状態が撮像スタンバイ状態である。移動筒２がこの位置に到達したことは、不図示の検出手段によって検出可能である。
【００６７】
このように、本実施例のレンズ鏡筒でも、実施例１と同様に、沈胴状態から、移動筒２の固定筒１に対する偏芯および傾き調整動作とレンズ枠１３のリセット動作の２つの動作が行われ、これらが完了することで撮像スタンバイ状態への遷移が完了する。また、レンズ枠１３のリセット動作も、移動筒２の偏芯および傾き調整動作が完了する前に開始される。ただし、実施例１とは異なり、レンズ枠１３のリセット動作は、移動筒２の偏芯調整動作の完了後であって傾き調整動作の完了前に完了する。
【００６８】
図１１のフローチャートには、この沈胴状態から撮像スタンバイ状態に遷移する間のレンズ鏡筒の動作の流れを示している。なお、本実施例でも、コントローラ３２が、移動筒駆動機構とレンズ駆動機構の動作を、コンピュータプログラムとしての制御プログラムに従って制御する。
【００６９】
ステップＳ３１において撮像装置の電源が投入（ＯＮ）されると、コントローラ３２は、ステップＳ３２において移動筒駆動機構を駆動し、図１０（ｂ）に示すように移動筒２の沈胴状態から繰り出し方向への移動を開始させる。また、コントローラ３２は、ステップＳ３３において、レンズ駆動機構を駆動し、図１０（ｃ）に示すように、レンズ枠１３のリセット方向への移動によるリセット動作を開始させる。
【００７０】
次に、ステップＳ３４では、コントローラ３２は、移動筒２の偏芯調整動作が完了したか否かを判定する。偏芯調整動作が完了していない場合は移動筒駆動機構による移動筒２の繰り出し方向への移動を継続する。一方、偏芯調整動作が完了した場合は、ステップＳ３５において、コントローラ３２は、レンズ枠１３の被検出部１３ａがフォトインタラプタ２１内に入ったか否かを判定する。図１０（ｃ）に示すように、まだ被検出部１３ａがフォトインタラプタ２１内に入っていないときは、コントローラ３２は、レンズ駆動機構によるレンズ枠１３のリセット方向への移動を継続する。一方、図１０（ｄ）に示すように被検出部１３ａがフォトインタラプタ２１内に入ったときは、コントローラ３２は、ステップＳ３６において、その内部におけるレンズ枠１３の位置情報をリセットする。そして、ステップＳ３７において、コントローラ３２は、レンズ駆動機構の駆動を停止し、レンズ枠１３のリセット動作を終了させる。
【００７１】
次に、ステップＳ３８では、コントローラ３２は、移動筒２の傾き調整動作が完了したか否かを判定する。傾き調整動作が完了していない場合は移動筒駆動機構による移動筒２の繰り出し方向への移動を継続する。一方、傾き調整動作が完了した場合は、ステップＳ３９において、コントローラ３２は、移動筒駆動機構の駆動を停止し、図１０（ｅ）に示すように、移動筒２の繰り出し方向への移動を終了させる。こうして、撮像スタンバイ状態への遷移が完了する。
【００７２】
以上説明したように、本実施例でも、図１０（ｅ）に示すように移動筒２の偏芯および傾き調整動作が完了する前に、図１０（ｃ）に示すようにレンズ枠１３のリセット動作を開始する。また、本実施例では、移動筒２の偏芯調整動作が完了した後であって傾き調整動作が完了する前に、図１０（ｄ）に示すようにレンズ枠１３のリセット動作における初期位置検出が行われる。この場合でも、偏芯および傾き調整動作が完了した後にレンズ枠１３のリセット動作を開始する場合に比べて、沈胴状態から撮像スタンバイ状態までに要するスタンバイ待ち時間を短縮することができる。この結果、撮像装置の電源を投入してからより短時間で撮像を開始することができる。
【００７３】
なお、本実施例では、移動筒２の傾き調整動作の完了前ではあるが偏芯調整動作の完了後にレンズ枠１３のリセット動作が完了する。このため、レンズ枠１３の初期位置検出の精度は、実施例３に比べて高くなる。
【実施例５】
【００７４】
本発明の実施例５であるレンズ鏡筒における沈胴状態から撮像スタンバイ状態に遷移する動作について、図１２を用いて説明する。なお、本実施例のレンズ鏡筒の構成は、実施例１のレンズ鏡筒と同じであり、共通する構成要素には実施例１と同符号を付して説明に代える。また、図１２では、移動筒２の固定筒１に対する偏芯と傾きは省略している。さらに、本実施例は、移動筒２の偏芯および傾き調整動作の完了後にレンズ枠１３のリセット動作が完了する実施例２の変形例でもある。
【００７５】
図１２（ａ）は、沈胴状態を示しており、移動筒２のほぼ全体が固定筒１内に収容されている。図１２（ｂ）は、沈胴状態から移動筒２が＋Ｘ方向への移動を開始した直後の状態を示している。図１２（ｃ）は、レンズ枠１３が＋Ｘ方向への移動を開始し、レンズ枠１３の被検出部１３ｄがフォトインタラプタ２１へ向かっている状態を示している。
【００７６】
図１２（ｄ）は、レンズ枠１３の被検出部１３ｄがフォトインタラプタ２１内に入ることでレンズ枠１３の初期位置の検出が行われ、レンズ枠１３が停止した状態を示している。図１２（ｅ）は、レンズ枠１３が図１２（ｄ）の位置から−Ｘ方向に所定量だけ離れた待機位置に移動して待機している状態を示している。図１２（ｄ）でのレンズ枠１３の初期位置の検出は、この後に行われる初期位置の本検出に先立って予備的に行うものであり、図１２（ｃ）〜図１２（ｅ）までのレンズ枠１３の移動の制御が第１の基準位置検出制御に相当する。
【００７７】
図１２（ｆ）は、移動筒２が固定筒１に対して移動筒２の偏芯および傾き調整動作が完了する位置まで移動した偏芯／傾き調整完了状態を示している。移動筒２がこの状態に到達したことは、不図示の検出手段によって検出可能である。移動筒２およびレンズ枠１３はそれぞれ、図１２（ｅ）の状態に到達した後に図１２（ｆ）の状態に至るような移動速度で制御されている。
【００７８】
図１２（ｇ）は、レンズ枠１３が図１２（ｅ）の待機位置から＋Ｘ方向に移動し、レンズ枠１３の被検出部１３ｄが再びフォトインタラプタ２１内に入ることでレンズ枠１３の初期位置の本検出が行われ、リセット動作が完了した状態を示している。この状態が撮像スタンバイ状態である。図１２（ｇ）にて説明したレンズ枠１３の移動の制御が、第２の基準位置検出制御に相当する。
【００７９】
このように、本実施例のレンズ鏡筒でも、実施例１と同様に、沈胴状態から、移動筒２の固定筒１に対する偏芯および傾き調整動作とレンズ枠１３のリセット動作の２つの動作が行われ、これらが完了することで撮像スタンバイ状態への遷移が完了する。また、レンズ枠１３のリセット動作も、移動筒２の偏芯および傾き調整動作が完了する前に開始される。ただし、実施例１とは異なり、レンズ枠１３のリセット動作のうち初期位置の予備検出のための動作（以下、予備初期位置検出動作という）が、移動筒２の偏芯および傾き調整動作の完了前に行われる。さらに、リセット動作のうち初期位置の本検出のための動作（以下、本初期位置検出動作といいう）が、偏芯および傾き調整動作の完了後に行われる。
【００８０】
図１３のフローチャートには、この沈胴状態から撮像スタンバイ状態に遷移する間のレンズ鏡筒の動作の流れを示している。なお、本実施例でも、コントローラ３２が、移動筒駆動機構とレンズ駆動機構の動作を、コンピュータプログラムとしての制御プログラムに従って制御する。
【００８１】
ステップＳ４１において撮像装置の電源が投入（ＯＮ）されると、コントローラ３２は、ステップＳ４２において移動筒駆動機構を駆動し、図１２（ｂ）に示すように移動筒２の沈胴状態から繰り出し方向への移動を開始させる。また、コントローラ３２は、ステップＳ４３において、第１の基準位置検出制御としてレンズ駆動機構を駆動し、図１２（ｃ）に示すように、レンズ枠１３のリセット動作のうち予備初期位置検出のための動作を開始させる。
【００８２】
ステップＳ４４において、コントローラ３２は、レンズ枠１３の被検出部１３ａがフォトインタラプタ２１内に入ったか否かを判定する。図１２（ｃ）に示すように、まだ被検出部１３ａがフォトインタラプタ２１内に入っていないときは、コントローラ３２は、レンズ駆動機構によるレンズ枠１３のリセット方向への移動を継続する。一方、図１２（ｄ）に示すように被検出部１３ａがフォトインタラプタ２１内に入ったときは、コントローラ３２は、ステップＳ４５において、レンズ枠１３の予備初期位置検出を終了する。そして、図１２（ｅ）に示すように、レンズ駆動機構を反転駆動してレンズ枠１３を−Ｘ方向に所定量だけ移動させ、待機位置に停止させる。
【００８３】
次に、ステップＳ４６では、コントローラ３２は、移動筒２の偏芯および傾き調整動作が完了したか否かを判定する。偏芯および傾き調整動作が完了していない場合は移動筒駆動機構による移動筒２の繰り出し方向への移動を継続する。一方、偏芯および傾き調整動作が完了した場合は、ステップＳ４７において、コントローラ３２は、移動筒駆動機構の駆動を停止し、図１２（ｆ）に示すように、移動筒２の繰り出し方向への移動を終了させる。
【００８４】
続いて、ステップＳ４８では、コントローラ３２は、レンズ駆動機構を駆動してレンズ枠１３を待機位置から再びリセット方向に移動させ、本初期位置検出のための動作を開始する。
【００８５】
次に、ステップＳ４９では、コントローラ３２は、レンズ枠１３の被検出部１３ａがフォトインタラプタ２１内に入ったか否かを判定する。まだ被検出部１３ａがフォトインタラプタ２１内に入っていないときは、コントローラ３２は、レンズ駆動機構によるレンズ枠１３のリセット方向への移動を継続する。一方、図１２（ｇ）に示すように被検出部１３ａがフォトインタラプタ２１内に入ったときは、コントローラ３２は、ステップＳ５０において、その内部におけるレンズ枠１３の位置情報をリセットする。そして、ステップＳ５１において、コントローラ３２は、レンズ駆動機構の駆動を停止し、レンズ枠１３のリセット動作を終了させる。こうして、撮像スタンバイ状態への遷移が完了する。
【００８６】
以上説明したように、本実施例では、図１２（ｆ）に示すように移動筒２の偏芯および傾き調整動作が完了する前に、図１２（ｃ）に示すようにレンズ枠１３のリセット動作を開始する。また、本実施例では、移動筒２の偏芯および傾き調整動作が完了する前に、図１２（ｄ）に示すようにレンズ枠１３のリセット動作における予備初期位置検出が行われる。そして、移動筒２の偏芯および傾き調整動作が完了した後に、図１２（ｇ）に示すようにレンズ枠１３のリセット動作における本初期位置検出が行われる。この場合でも、偏芯および傾き調整動作が完了した後にレンズ枠１３のリセット動作を開始する場合に比べて、沈胴状態から撮像スタンバイ状態までに要するスタンバイ待ち時間を短縮することができる。この結果、撮像装置の電源を投入してからより短時間で撮像を開始することができる。
【００８７】
なお、本実施例では、図１２（ｆ）に示す移動筒２の偏芯および傾き調整動作が完了した時点でレンズ枠１３がフォトインタラプタ２１の近くで待機している。このため、実施例２と比較すると、偏芯および傾き調整動作が完了してからより短時間でレンズ枠１３のリセット動作（本初期位置検出）を完了することができる。したがって、本実施例によれば、実施例２に比べて、スタンバイ待ち時間を短縮することができる。
【００８８】
なお、本実施例にて説明したレンズ枠１３の予備初期位置検出動作を、実施例１，３，４に付加してもよい。
【００８９】
図１４には、実施例１〜５のレンズ鏡筒における沈胴状態から撮像スタンバイ状態までの移動筒２の移動開始、偏芯調整動作の開始と完了、傾き調整動作の完了およびレンズ枠１３のリセット動作の開始と完了のタイミングをまとめて示している。図中では、これらのタイミングを、「移動筒移動開始」、「偏芯調整開始／完了」、「傾き調整完了」、「レンズ枠リセット開始」および「レンズ枠リセット完了」と略記している。
【００９０】
ただし、図１４には、各実施例における開始または完了タイミングの順序を示しているに過ぎず、各タイミング間の間隔は意味を持たない。また、実施例１〜５において各タイミングを示す太矢印の間をつなぐ点線は、その太矢印が上側に記載したタイミングのうちどれに相当するかを示しているに過ぎず、点線でつないだ太矢印のタイミングが同じタイミングにて行われることを意味するものでもない。実施例３，４においては、白抜き矢印で示すレンズ枠１３のリセット動作の開始タイミングは、細矢印で示す幅内であればどのタイミングでもよいことを示す。また、実施例５については、レンズ枠１３の予備初期位置検出の完了タイミングと本初期位置検出の開始および完了タイミングをそれぞれ、「レンズ枠予備検出完了」、「レンズ枠本検出開始／完了」と記載した。
【００９１】
また、各実施例では、移動筒２の偏芯調整動作が傾き調整動作よりも先に行われるように偏芯低減手段および傾き低減手段を設けた場合について説明した。しかし、傾き調整動作が偏芯調整動作よりも先に行われるように傾き低減手段および偏芯低減手段を設けたり、傾き調整動作と偏芯調整動作とが同時に行われるように傾き低減手段および偏芯低減手段を設けたりしてもよい。そして、移動筒２を沈胴位置から繰り出し位置に向けて移動させる際に、偏芯低減手段による偏芯低減作用および傾き低減手段による傾き低減作用のうち少なくとも一方が完了する前に、レンズ枠１３の初期位置に向けた移動を開始させればよい。
【００９２】
さらに、実施例３では、移動筒２の偏芯調整動作が開始された後これが完了する前にレンズ枠１３のリセット動作が完了する場合について説明したが、傾き調整動作が開始された後これが完了する前にレンズ枠１３のリセット動作が完了するようにしてもよい。すなわち、偏芯調整動作および傾き調整動作のうち一方が開始した後これが完了する前にリセット動作が完了すればよい。
【００９３】
また、実施例４では、移動筒２の偏芯調整動作が完了した後、傾き調整動作が完了する前にレンズ枠１３のリセット動作が完了する場合について説明した。しかし、傾き調整動作が完了した後、偏芯調整動作が開始または完了する前にレンズ枠１３のリセット動作が完了するようにしてもよい。すなわち、偏芯調整動作および傾き調整動作のうち一方が完了した後、他方が開始または完了する前にリセット動作が完了すればよい。
【００９４】
以上説明した各実施例は代表的な例にすぎず、本発明の実施に際しては、各実施例に対して種々の変形や変更が可能である。
【産業上の利用可能性】
【００９５】
沈胴タイプで撮像スタンバイ待ち時間が短いレンズ装置および撮像装置を提供できる。
【符号の説明】
【００９６】
１  固定筒
２  移動筒
２ａ，１１  円筒面（偏芯調整手段）
２ｂ，１２  円環面（傾き調整手段）
１３  レンズ枠
２１  フォトインタラプタ
【図１】
2015152839.tif 000003
【図２】
2015152839.tif 000004
【図３】
2015152839.tif 000005
【図４】
2015152839.tif 000006
【図５】
2015152839.tif 000007
【図６】
2015152839.tif 000008
【図７】
2015152839.tif 000009
【図８】
2015152839.tif 000010
【図９】
2015152839.tif 000011
【図１０】
2015152839.tif 000012
【図１１】
2015152839.tif 000013
【図１２】
2015152839.tif 000014
【図１３】
2015152839.tif 000015
【図１４】
2015152839.tif 000016